(57)【要約】【課題】水溶性の有効成分を含む内容物を封入して構成され、内容物を取り出すことなく水中に浸漬して前記有効成分を抽出する包装体であって、水中に浸漬したとき、水面上に頭を出し、しかも、嵩張ることがなく、また、浮きが不用意にはずれることのない抽出用包装体を提供すること。【解決手段】可撓性フィルム１から成る包装袋の内部を、内容物４を収容した収容室２と、空気を密封したエアー室３とに区画し、包装袋を構成する可撓性フィルムの一部領域であって、収容室を構成する一部領域に切れ目１ｘが設け、この切れ目を被覆してラベル５を接着する。【選択図】図１
2016150763.tif 000002
【特許請求の範囲】
【請求項１】
可撓性フィルムから成る包装袋に水溶性の有効成分を含む内容物を封入して構成される包装体であって、内容物を取り出すことなく水中に浸漬して前記有効成分を抽出する抽出用包装体において、
前記包装袋の内部が、内容物を収容した収容室と、空気を密封したエアー室とに区画されており、
前記可撓性フィルムの一部領域であって、収容室を構成する一部領域に切れ目が設けられており、この切れ目を被覆してラベルが接着されていることを特徴とする抽出用包装体。
【請求項２】
前記切れ目が微細領域を囲むように閉曲線状に設けられていることを特徴とする請求項１に記載の抽出用包装体。
【請求項３】
前記切れ目が複数設けられていることを特徴とする請求項１又は２に記載の抽出用包装体。
【請求項４】
前記ラベルが水分不透過性であることを特徴とする請求項１〜３のいずれかに記載の抽出用包装体。
【請求項５】
前記可撓性フィルムが水分不透過性であることを特徴とする請求項１〜４のいずれかに記載の抽出用包装体。
【発明の詳細な説明】
【技術分野】
【０００１】
本発明は、水溶性の有効成分を含む内容物を封入して構成され、内容物を取り出すことなく水中に浸漬して前記有効成分を抽出することができる包装体に関するものである。
【０００２】
内容物としては、例えば、紅茶の茶葉等を例示できる。この茶葉等を内容物として封入した包装体は、これを温水中に浸漬することにより、その茶葉等の有効成分が温水中に抽出される。
【０００３】
また、内容物として粉末状の入浴剤を挙げることもできる。この場合には、内容物（入浴剤）の全体が有効成分である。そして、この入浴剤を内容物として封入した包装体は、これを浴槽内部の温水中に浸漬することにより、その入浴剤が温水中に抽出される。
【背景技術】
【０００４】
紅茶の茶葉や入浴剤等を包装袋の内部に収容した包装体は周知である。また、これら内容物を包装体から取り出すことなく、この包装体をそのまま温水中に浸漬することにより、その有効成分が包装袋を透過して温水中に溶解する包装体も周知である。
【０００５】
ところで、このような包装体の中には、包装体の上部に発泡スチロール等の浮きを取り付けたものがある（特許文献１）。このような包装体にあっては、この包装体を温水等に投入したとき、内容物を収容した収容部には温水が浸入してその比重が大きくなり、一方、発泡スチロール等の浮きは温水より比重が小さいため、この包装体の収容部が水面下に位置し浮きが水面から頭を出す。そして、このため、抽出が完了した後には、水面から頭を出した浮きを摘んで取り出すことができる。
【先行技術文献】
【特許文献】
【０００６】
【特許文献１】実開平０３−３８７６８号公報
【発明の概要】
【発明が解決しようとする課題】
【０００７】
しかしながら、この包装体においては、発泡スチロール等の浮きを取り付けているため、包装体が嵩張ったり、あるいは、温水に投入する前に不用意に浮きがはずれてしまったりすることがあった。
【０００８】
そこで、本発明は、水中に浸漬したとき、水面上に頭を出す抽出用包装体であって、嵩張ることがなく、また、浮きが不用意にはずれることのない抽出用包装体を提供することを目的とする。
【課題を解決するための手段】
【０００９】
すなわち、請求項１に記載の発明は、可撓性フィルムから成る包装袋に水溶性の有効成分を含む内容物を封入して構成される包装体であって、内容物を取り出すことなく水中に浸漬して前記有効成分を抽出する抽出用包装体において、
前記包装袋の内部が、内容物を収容した収容室と、空気を密封したエアー室とに区画されており、
前記可撓性フィルムの一部領域であって、収容室を構成する一部領域に切れ目が設けられており、この切れ目を被覆してラベルが接着されていることを特徴とする抽出用包装体である。
【００１０】
また、請求項２に記載の発明は、前記切れ目が微細領域を囲むように閉曲線状に設けられていることを特徴とする請求項１に記載の抽出用包装体である。
【００１１】
また、請求項３に記載の発明は、前記切れ目が複数設けられていることを特徴とする請求項１又は２に記載の抽出用包装体である。
【００１２】
次に、請求項４に記載の発明は、前記ラベルが水分不透過性であることを特徴とする請求項１〜３のいずれかに記載の抽出用包装体である。
【００１３】
次に、請求項５に記載の発明は、前記可撓性フィルムが水分不透過性であることを特徴とする請求項１〜４のいずれかに記載の抽出用包装体である。
【発明の効果】
【００１４】
本発明の包装体においては、収容室を構成する一部領域に切れ目が設けられており、この切れ目を被覆してラベルが接着されているため、このラベルを剥離することによって切れ目が包装体の外表面に露出する。このため、ラベルを剥離した後、包装体から内容物を取り出すことなく、水中に浸漬すると、この切れ目から水分が浸入して有効成分を溶解する。そして、有効成分が溶解した水分は再び切れ目を通って包装体外部に浸出するから、この有効成分を抽出することができる。
【００１５】
ところで、この包装体には、内容物を収容した収容室に加えて空気を密封したエアー室が設けられているから、包装体を水中に浸漬したとき、吸水して重くなった収容室が水中に没し、一方、比重の軽いエアー室が水面から頭を出す。このため、抽出が完了した後には、水面から頭を出したエアー室を摘んで取り出すことが可能である。
【００１６】
しかも、このエアー室と収容室とはいずれも可撓性フィルムから成る包装袋の一部として構成され、両者は一体的に構成されているから、発泡スチロール製浮きのような別部材を要することなく製造でき、しかもエアー室が収容室から分離することもない。
【図面の簡単な説明】
【００１７】
【図１】図１は本発明の包装体の具体例を示すもので、図１（ａ）は正面説明図、図１（ｂ）は縦断面の説明図である。
【図２】図２は切れ目周辺を示す断面説明図である。
【図３】図３はラベルを剥離した状態の包装体の正面説明図である。
【図４】図４はラベルを剥離した状態の切れ目周辺を示す断面説明図である。
【発明を実施するための形態】
【００１８】
以下、図面を参照しながら、本発明の具体例を説明する。
【００１９】
本発明は、可撓性フィルムから成る包装袋と、水溶性の有効成分を含む内容物と、包装袋の一部領域に接着されたラベルとを必須の構成要素とする包装体である。図１はこの包装体の例を示す説明図で、図１（ａ）は包装体の正面説明図、図１（ｂ）はその縦断面の説明図である。なお、説明の便宜のため、これらの図面では各部位の大きさを誇張して描いている。
【００２０】
図１（ｂ）から分かるように、この例では、可撓性フィルム１は、基材フィルム１１とシーラント層１２とを積層した積層体で構成されている。これら基材フィルム１１及びシーラント層１２の材質については後述する。
【００２１】
そして、この包装袋は、２枚の可撓性フィルム１を使用して、これら２枚の可撓性フィルム１を互いに重ね合わせ、その周囲をヒートシールして構成されている。図１において、１ａ及び１ｂは天地のシール線を示し、１ｃ及び１ｄは左右のシール線を示している。また、この包装袋には、内部を二分するシール線１ｅが設けられており、このシール線１ｅによって、収容室２とエアー室３とに区画されている。そして、この収容室２には内容物４が収容されており、エアー室３には空気が密封されている。
【００２２】
収容室２を構成する可撓性フィルム１には、その一部に可撓性フィルム１を貫通する切れ目１ｘが設けられており、この切れ目１ｘを被覆してラベル５が接着されている。図３は、この切れ目１ｘの形状を示すためラベル５を剥離した状態を示す正面説明図で、この図３から分かるように、切れ目１ｘは微細領域を囲むように閉曲線状に設けられており、しかも、この切れ目１ｘが多数設けられている。
【００２３】
また、図２はこの切れ目１ｘが存在する領域の断面を説明するための説明図で、この図から分かるように、切れ目１ｘは基材フィルム１１とシーラント層１２との両者、すなわち、可撓性フィルム１の全体を貫通するように設けられている。そして、切れ目１ｘに囲まれた微細領域を除いて、ラベル５の接着領域の全面に剥離層１３が塗布されている。このため、ラベル５を剥離除去すると、切れ目１ｘから可撓性フィルム１が切断されて、この切れ目１ｘに囲まれた微細領域の可撓性フィルム１はラベル５に接着したままこのラベル５と共に除去され、こうして除去された微細領域には貫通孔１ｙが形成される（図４参照）。そして、前述のように、切れ目１ｘは多数設けられているため、ラベル５を除去した包装体には、多数の微細な貫通孔１ｙが形成される。
【００２４】
この包装体は、次のように使用することができる。すなわち、まずラベル５を剥離除去して収容室２を構成する可撓性フィルム１に多数の微細な貫通孔１ｙを形成する。次に、この包装体を温水等の水中に浸漬することにより、貫通孔１ｙを通って温水等が収容室２に浸入し、内容物に含まれる水溶性の有効成分が溶解する。このように有効成分を溶解した温水等は、再び貫通孔１ｙを通って包装体外部に浸出する。
【００２５】
なお、このように、温水等は多数の微細貫通孔１ｙを通って流出入するから、例えば、内容物４として入浴剤を収容した場合には、この入浴剤が一気に溶解することがなく、徐々に溶解する。このため、その入浴効果を長持ちさせることが可能である。
【００２６】
ところで、温水等が浸入した収容室２はその見かけ比重が重くなる。一方、エアー室３は密封されているから、このエアー室３には温水等が浸入することがない。このため、空気が密封されたエアー室３はその見かけ比重が温水等よりも軽く、したがって、その水面より上に頭を出すことになる。そして、このため、有効成分の抽出が完了した後、水面上に頭を出したエアー室３を摘んで包装体を除去することができる。
【００２７】
本発明に係る内容物４は、その一部又は全部が水溶性の有効成分から成るものである。この有効成分の具体的材質が不明であってもよい。例えば、粉末入浴剤は、一般に、その全部が水溶性の有効成分である。また、紅茶や緑茶等の茶葉は、その一部に水溶性の有効成分を含んでいる。
【００２８】
次に、可撓性フィルム１の基材フィルム１１としては任意のフィルムを使用できるが、包装体を水中に浸漬して使用することから、吸水性のないフィルムを使用することが望ましい。例えば、プラスチックフィルムである。また、このプラスチックフィルムにガスバリア層を積層して構成した積層体であってもよい。基材フィルム１１が酸素ガスや水蒸気に対するバリア性を有する場合には、内容物の保存性を高めることができる。
【００２９】
このようなプラスチックフィルムとしては、ポリオレフィンフィルム、ポリ塩化ビニルフィルム、ポリエステルフィルム、ポリアミドフィルム等を使用することができる。ポリオレフィンフィルムとしては、ポリエチレンフィルムやポリプロピレンフィルムを例示できる。
【００３０】
ガスバリア層としてはアルミニウム箔等の金属箔を使用することが可能である。また、ポリエステルフィルムやポリアミドフィルム等のプラスチックフィルムを蒸着基材として、この蒸着基材に金属や無機物を蒸着して形成した蒸着フィルムをガスバリア層として使用することも可能である。蒸着金属としてはアルミニウムを例示できる。また、蒸着する無機物としては、アルミナやシリカを挙げることができる。また、ガスバリア層としてはエチレン−ビニルアリコール共重合体フィルムを使用することもできる。
【００３１】
次に、シーラント層１２としては周知の樹脂を使用することができ、例えば、低密度ポリエチレン、直鎖状低密度ポリエチレン、無延伸ポリプロピレン等を例示することができる。
【００３２】
また、剥離層１３としては、シリコン系剥離ニス、硝化綿系剥離ニス、ウレタン系剥離ニス、ポリアミド系剥離ニス等の剥離ニスを使用することが可能である。また、ポリエチレン系ワックス、ポリエステル系ワックス等のワックスを使用してもよい。
【００３３】
次に、ラベル５は、ラベル基材５１に粘着剤５２を塗布して構成したものを好適に使用することができる。ラベル基材５１としては、ポリエステルフィルム、ポリアミドフィルム等を使用することができる。
【００３４】
また、粘着剤５２は、ベースポリマーに粘着付与剤を添加したものが使用できる。オレフィン系樹脂、アクリル系樹脂、ポリエステル系樹脂、熱可塑性エラストマー、合成ゴム等を例示できる。オレフィン系樹脂の具体例としてはエチレン−酢酸ビニル共重合体を挙げることができる。アクリル系樹脂の具体例としては、エチレン−メタクリル酸共重合体、エチレン−メタクリル酸エステル共重合体を例示できる。また、熱可塑性エラストマーとの代表例として、スチレン−イソプレン−スチレン−ブロック共重合体、スチレン−エチレン−ブチレン−スチレン−ブロック共重合体、スチレン−エチレン−プロピレン−スチレン−ブロック共重合体を挙げることができる。また、粘着付与剤としては、ロジン系樹脂、テルペン系樹脂、石油樹脂等を使用することができる。
【００３５】
次に、この包装体は次のように製造することができる。すなわち、まず、可撓性フィルム１の所定位置に切れ目１ｘを形成し、この切れ目１ｘを被覆してラベル５を接着する。次に、ラベル５が接着された可撓性フィルム１を一方のフィルムとし、ラベル５が接着されていない可撓性フィルム１を他方のフィルムとして、両者を重ね合わせ、天部シール線１ａ、左右側部シール線１ｃ，１ｄ、及び区画用シール線１ｅでヒートシールする。なお、このとき、天部シール線１ａの一部に未シール部を残して、この未シール部を空気封入口とすることが望ましい。次に、底部から内容物４を収容室２に充填した後、底部シール線１ｂでヒートシールする。最後に、前記空気封入口からエアー室３に空気を封入し、この空気封入口をヒートシールして塞ぐことにより、この包装体を製造することができる。
【符号の説明】
【００３６】
１：可撓性フィルム    １１：基材フィルム    １２：シーラント層    １３：剥離層
１ａ：天部シール線    １ｂ：底部シール線    １ｃ：側部シール線    １ｄ：側部シール線    １ｅ：区画用シール線
１ｘ：切れ目    １ｙ：貫通孔
２：収容室
３：エアー室
４：内容物
５：ラベル    ５１：ラベル基材    ５２：粘着剤
【図１】
2016150763.tif 000003
【図２】
2016150763.tif 000004
【図３】
2016150763.tif 000005
【図４】
2016150763.tif 000006